(57)【要約】【課題】昇降機構に接続される配線が利用者側に倒れることを防止可能な昇降天板付什器を提供する。【解決手段】床面に載置される下部支持体２と、下部支持体２に対して昇降可能に接続された上部支持体３と、下面４ｂが上部支持体３に支持された天板４と、天板４と間隔をあけて立設されたパネル部材５Ｃと、上部支持体３を昇降させるための昇降機構６と、昇降機構６に接続され、天板４の昇降に応じて撓み変形し、天板４が最下位置に位置する状態で少なくとも一部が天板４とパネル部材５Ｃとの間を通って天板４よりも上方となるように配される配線１０と、少なくとも天板４が最下位置に位置する状態で天板４よりも上方に延びる配線１０がパネル部材５Ｃに近接した状態を維持する規制部材１２と、を備える。【選択図】図６
2018075100.tif 000002
【特許請求の範囲】
【請求項１】
床面に載置される下部支持体と、
前記下部支持体に対して昇降可能に接続された上部支持体と、
下面が前記上部支持体に支持された天板と、
前記天板と間隔をあけて立設されたパネル部材と、
前記上部支持体を昇降させるための昇降機構と、
前記昇降機構に接続され、前記天板の昇降に応じて撓み変形し、前記天板が最下位置に位置する状態で少なくとも一部が前記天板と前記パネル部材との間を通って前記天板よりも上方となるように配される配線と、
少なくとも前記天板が最下位置に位置する状態で前記天板よりも上方に延びる前記配線が前記パネル部材に近接した状態を維持する規制部材と、を備えることを特徴とする昇降天板付什器。
【請求項２】
前記規制部材は前記配線が前記パネル部材に近接した状態で撓み変形させる規制面を有することを特徴とする請求項１に記載の昇降天板付什器。
【請求項３】
前記規制面は前記パネル部材における前記天板側の面に対向していることを特徴とする請求項２に記載の昇降天板付什器。
【請求項４】
前記規制面は板状の部位の一部に形成されていることを特徴とする請求項３に記載の昇降天板付什器。
【請求項５】
前記規制部材において前記下部支持体の上端部よりも上方に配置される部分に前記配線を係止する係止部が設けられていることを特徴とする請求項１から請求項４のいずれか一項に記載の昇降天板付什器。
【請求項６】
前記係止部は前記規制部材の左右方向に離間して設けられていることを特徴とする請求項５に記載の昇降天板付什器。
【発明の詳細な説明】
【技術分野】
【０００１】
本発明は、昇降天板付什器に関するものである。
【背景技術】
【０００２】
一般に、オフィスや公共施設等の執務空間においては、執務者（利用者）に作業エリアを提供するためにデスクなどの天板付什器が配設されている。
このような天板付什器においては、使用者の姿勢、体格、性別、好み等によって、作業のしやすい天板の高さは個々に異なる。このため、天板の高さを上下に変更可能とした昇降天板付什器が使用されている。昇降天板付什器においては、使用者の要望に応じた天板高さの作業エリアを提供することができ、作業効率を向上させることができるとともに、使用者の体への負荷を軽減することができる。
【０００３】
昇降天板付什器の天板の昇降機構としては、例えば電動式駆動ユニットを用いるものが知られている（例えば、特許文献１参照）。
【先行技術文献】
【特許文献】
【０００４】
【特許文献１】特開２０１６−０８６９０９号公報
【発明の概要】
【発明が解決しようとする課題】
【０００５】
上述のように電動式の昇降機構を備えた昇降天板付什器においては、天板を昇降させるための昇降機構に接続される配線が利用者や他の什器に干渉しないようにすることが求められている。
特許文献１に開示されている昇降天板付什器においては、天板の下面にカバー部材や配線トレイが設けられ、配線が天板と上部支持体との間の配線収容空間に収容されているので、配線の大部分が外方から遮蔽されている。そのため、配線が利用者や他の什器に干渉するおそれがほとんどない。
【０００６】
しかしながら、昇降天板付什器の基本構造が予め決められ、追加変更が難しい場合や、それぞれの構成要素同士の相対位置などの制約によって、天板の下方または天板を昇降可能とする脚体の内部などに配線収容空間を形成するための部材を設置することができない場合が考えられる。その場合、配線が天板の外部かつ上部に露呈せざるを得ない。さらに、天板が床面に対して立設されたパネル部材で囲まれている場合は、配線がパネル部材における天板側の面に沿って設けられた際に、天板が最下位置に位置する状態で配線が利用者側（すなわち、天板側）に倒れるおそれがあった。配線が利用者側に倒れると、配線が天板上で作業をする手などの利用者の上肢に干渉するおそれや、天板が最下位置から上昇した際に配線が天板と接触して傷付くおそれがあった。
【０００７】
本発明は、上述の事情を鑑みてなされたものであり、（天板を昇降させるための昇降機構に接続される配線を天板の下部や天板の支持体の内部などに収容することが難しい場合でも、）配線が利用者側に倒れることを防止可能な昇降天板付什器を提供する。
【課題を解決するための手段】
【０００８】
上述の目的を達成するために、本発明は以下の構成を採用している。
すなわち、本発明に係る昇降天板付什器は、床面に載置される下部支持体と、前記下部支持体に対して昇降可能に接続された上部支持体と、下面が前記上部支持体に支持された天板と、前記天板と間隔をあけて立設されたパネル部材と、前記上部支持体を昇降させるための昇降機構と、前記昇降機構に接続され、前記天板の昇降に応じて撓み変形し、前記天板が最下位置に位置する状態で少なくとも一部が前記天板と前記パネル部材との間を通って前記天板よりも上方となるように配される配線と、少なくとも前記天板が最下位置に位置する状態で前記天板よりも上方に延びる前記配線が前記パネル部材に近接した状態を維持する規制部材と、を備えることを特徴とする。
【０００９】
上述の昇降天板付什器では、天板とパネル部材との間の間隔を配線挿通空間とし、天板の昇降にともない、配線をパネル部材における天板側の面に沿うように前述の配線挿通空間を含んで規定される所定の空間（以下、変形空間とする場合がある）内で撓み変形させることができる。したがって、天板が最下位置に位置する状態で配線を天板よりも上方に延びるようにし、かつ配線が利用者側に倒れることを防止することができる。
【００１０】
本発明に係る昇降天板付什器では、前記規制部材は前記配線が前記パネル部材に近接した状態で撓み変形させる規制面を有していてもよい。
このような昇降天板付什器では、パネル部材と規制部材の規制面によって形成される空間を含んで規制部材によって規制された空間内で配線が撓み変形させるので、配線が利用者側に倒れることを防止することができる。
【００１１】
本発明に係る昇降天板付什器では、前記規制面は前記パネル部材における前記天板側の面に対向していてもよい。
このような昇降天板付什器では、パネル部材と規制部材の規制面との間で配線が撓み変形するので、配線が利用者側に倒れることを防止することができる。
【００１２】
本発明に係る昇降天板付什器では、前記規制面は板状の部位の一部に形成されていてもよい。
このような昇降天板付什器では、規制面の面積を調整することによって、配線挿通空間の大きさを調整し、配線が利用者側に倒れることを防止することができる。
【００１３】
本発明に係る昇降天板付什器では、前記規制部材において前記下部支持体の上端部よりも上方に位置する部分に前記配線を係止する係止部が設けられていてもよい。
このような昇降天板付什器では、天板の昇降に応じて配線が撓み変形する際に、配線を配線挿通空間内の所定の位置において係止部によって係止した状態で撓み変形させることができる。したがって、天板が最下位置に位置する状態で配線を天板よりも上方に延びるようにし、かつ配線が利用者側に倒れることを防止することができる。
【００１４】
本発明に係る昇降天板付什器では、前記係止部は前記規制部材の左右方向に離間して設けられていてもよい。
このような昇降天板付什器では、天板の昇降に応じて配線が撓み変形する際に、配線を配線挿通空間内の左右方向に離間した位置において係止部によって係止することで、左右方向に範囲を規制し、安定した状態で円滑に撓み変形させることができる。したがって、配線が利用者側に倒れることをより確実に防止することができる。
【発明の効果】
【００１５】
本発明に係る昇降天板付什器によれば、天板を昇降させるための昇降機構に接続される配線が利用者側に倒れ、利用者や他の什器に対して干渉することを防止することができる。
【図面の簡単な説明】
【００１６】
【図１】本発明の第一実施形態である天板昇降式デスクの概略構成を示す斜視図であり、天板が最上位置に位置する状態における図である。
【図２】本発明の第一実施形態である天板昇降式デスクの概略構成を示す別の斜視図であり、天板が最上位置に位置する状態における配線の位置を説明するための図である。
【図３】本発明の第一実施形態である天板昇降式デスクの概略構成を示すさらに別の斜視図であり、天板が最下位置に位置する状態における図である。
【図４】本発明の第一実施形態である天板昇降式デスクの概略構成を示す他の斜視図であり、天板が最下位置に位置する状態における配線の位置を説明するための図である。
【図５】本発明の第一実施形態である天板昇降式デスクの概略構成を示す正面図であり、天板が最上位置に位置する状態における配線の位置を説明するための図である。
【図６】本発明の第一実施形態である天板昇降式デスクの概略構成を示す正面図であり、天板が最下位置に位置する状態における配線の位置を説明するための図である。
【図７】本発明の第一実施形態である天板昇降式デスクの概略構成を示す平面図である。
【図８】本発明の第一実施形態である天板昇降式デスクのカバー部材（規制部材）の概略構成を示す斜視図である。
【図９】本発明の第二実施形態である天板昇降式デスクの概略構成を示す正面図であり、天板が最上位置に位置する状態における配線の位置を説明するための図である。
【図１０】本発明の第二実施形態である天板昇降式デスクの概略構成を示す正面図であり、天板が最下位置に位置する状態における配線の位置を説明するための図である。
【図１１】本発明の第二実施形態である天板昇降式デスクの規制部材の概略構成を示す斜視図である。
【発明を実施するための形態】
【００１７】
以下、本発明を適用した実施形態について、図面を参照して説明する。なお、以下の説明で用いる図面は模式的なものであり、長さ、幅、及び厚みの比率等は実際のものと同一とは限らず、適宜変更することができる。
なお、以下の説明においては、昇降天板付什器の一例である天板昇降式デスクにおける矩形状の天板の長辺の長さ方向を左右方向、天板の短辺の長さ方向を前後方向とする。
【００１８】
（第一実施形態）
図１および図２は、本発明を適用した第一実施形態に係る天板昇降式デスク（昇降天板付什器）１Ａの概略構成を示す斜視図であり、図１は天板４が最上位置に位置する状態における図であり、図２は天板４が最下位置に位置する状態における図である。
【００１９】
図１および図２に示すように、天板昇降式デスク１Ａは、各種書類の記載時に用いられるデスク装置であって、いわゆる記載台であり、下部支持体２と、上部支持体３と、天板４と、パネル部材５と、昇降機構６と、配線１０と、規制部材１２と、を備えている。
【００２０】
第一実施形態では、下部支持体２は、天板４の左右両側に天板４と間隔をあけて立設されたパネル部材５Ａ，５Ｂおよびパネル部材５Ａ，５Ｂの下部同士を左右方向に沿って連結する連結部２２を介して床面に載置されている。
【００２１】
図１に示すように、パネル部材５は、上述のパネル部材５Ａ，５Ｂに加えて、天板４の前側に天板４と間隔をあけて立設されたパネル部材５Ｃによって構成されている。
パネル部材５Ａ，５Ｂ，５Ｃは、床面に載置され、床面に対して略垂直に立設されている。パネル部材５Ａ，５Ｂは、左右に離間して対をなすように設けられ、天板昇降式デスク１Ａの脚としての役割を備えている。パネル部材５Ａ，５Ｂのそれぞれの下面５ｂにはアジャスター機能を有する載置部２４が設けられているので、パネル部材５Ａ，５Ｂの床面からの高さは微調整可能になっている。
【００２２】
パネル部材５Ｃは、一対のパネル部材５Ａ，５Ｂのそれぞれの後端部を左右方向に沿って連結するように設けられている。すなわち、パネル部材５Ａ，５Ｂ，５Ｃは、平面視において天板４の前端部を除いて天板４を囲うように配置されている。
【００２３】
パネル部材５Ａ，５Ｂの下端部近傍の後側は、パネル部材５Ａ，５Ｂの離間距離に合わせて長尺に、かつ前後方向に所定の幅を有して板状に形成された連結部２２によって連結されている。下部支持体２の下面２ｂは、連結部２２の上面２２ａに接している。下部支持体２は、連結部２２の上面２２ａの左右方向の略中央に立設されている。
【００２４】
下部支持体２は、柱状部材で構成されている。図２に示すように、パネル部材５Ｃにおいて下部支持体２に対向する位置には、貫通孔２８が形成されている。なお、図２においては、パネル部材５Ａ，５Ｂ，５Ｃで囲まれた部分の構成をわかりやすく示すために、パネル部材５Ｂおよび天板４と天板４上の構成の図示を省略する。
【００２５】
下部支持体２の上下方向において最下位置に位置した天板４の下端近傍の位置には、下部支持体２を貫通させ、パネル部材５Ａ，５Ｂの離間距離に合わせて長尺に、かつ前後方向に所定の幅を有して板状に形成された連結部３４が設けられている。連結部３４の左右方向の両端部は、パネル部材５Ａ，５Ｂに連結されている。連結部３４によって、天板４の最下位置が規定され、天板４が最下位置より下降しないようになっている。連結部３４において下部支持体２の後側に接する部分には、配線１０を挿通可能となるように切り欠かれている。
【００２６】
下部支持体２の上端部には、この上端部に外嵌可能に形成された枠部材３０が設置されている。枠部材３０の左右方向の両端部は、パネル部材５Ｃにおける天板４側の面５ｐに固定されている。枠部材３０が前述のようにパネル部材５Ｃに固定されていることで、下部支持体２は、パネル部材５Ｃに対して所定の間隔をあけて固定されるとともに、前側に倒れないように固定されている。
【００２７】
上部支持体３は、下部支持体２に対して昇降可能に接続されている。具体的には、上部支持体３は、下部支持体２に内嵌可能に形成され、かつ中空部３３を有する柱状部材で構成されている。
【００２８】
天板４は、下面４ｂが上部支持体３に支持され、板状に形成されている。天板４の後ろ側には、利用者が天板４の上面４ａで作業をする際に用いられる書類を収容するための書類収容部５６や印鑑用の朱肉を載置するための朱肉設置部５７などを有する帳票収納ユニット５１が設置されている。
天板４の下面４ｂにおける上部支持体３との連結部分より前方には、天板４の下面４ｂから下方に延びる支持板３２が設けられている。したがって、上部支持体３の少なくとも上部は、支持板３２の後側に配される。
【００２９】
天板４におけるパネル部材５Ａ，５Ｂ，５Ｃ側の側面には、天板４の昇降時におけるパネル部材５Ａ，５Ｂ，５Ｃへの接触などによる傷付きなどを確実に防止するために、緩衝材１３が設けられている。ただし、緩衝材１３において天板４の昇降時に配線１０が通る部分は、切り欠かれている。なお、図５、図６、後に説明する図９および図１０では、緩衝材１３の図示を省略する。
【００３０】
図２に示すように、上部支持体３と天板４との間には、天板受け部材４０が設けられている。天板受け部材４０は、受け部４２と、受け部４２の左右両側に設けられた配線支持部４４と、を備えている。受け部４２は、板状に形成され、天板４の下面４ｂより小さく、かつ上部支持体３の上端面より大きく形成されている。受け部４２の上面４２ａは、不図示のビスなどによって天板４の下面４ｂに当接可能とされている。受け部４２の下面４２ｂには、凹所４３が形成されている。
【００３１】
また、配線支持部４４は、受け部４２の下面４２ｂの左右両側から下方に延びる一対の支持板４６と、一対の支持板４６のうち一方の支持板４６の下端部から他方の支持板４６に向けて水平に突出する一対の突出部４７と、一対の支持板４６のうち一方の支持板４６の前端部から他方の支持板４６に向く側とは反対側に向けて拡がるフリンジ部４８と、を備えている。突出部４７は、左右方向において配線１０が挿通可能となるように所定の幅を有している。また、一対の突出部４７のうち一方の突出部４７において他方の突出部４７側の端部の少なくとも後側には、上方に延びる延部４９が設けられている。フリンジ部４８は、不図示のビスなどによって後側（すなわち、天板４側）の上部に当接および固定可能とされている。
天板受け部材４０において前側から見て左側の配線支持部４４Ｂの突出部４７の後側の端部には、配線１０を挿通可能な中空部を有する係止部７０が設けられている。
【００３２】
支持板３２の後側（すなわち、天板４側）の下部には、昇降機構６を設置するための昇降機構受け部材４１が設けられている。昇降機構受け部材４１は、支持板３２の後側の面に固定される固定面３５と、固定面３５の上端部から昇降機構６の制御部の大きさに合わせて後側に延び、昇降機構６を載置可能な載置面３６と、載置面３６の後端部から上方に延び、昇降機構６の前後方向の移動を規制する移動規制面３７と、を備えている。
【００３３】
昇降機構６は、上部支持体３を昇降させるためのものであり、下部支持体２に対する上部支持体３の高さを変更させるための制御部を有している。昇降機構６の制御部は、昇降機構受け部材４１における載置面３６の上に載置され、支持板３２と移動規制面３７との間で支持されている。昇降機構６は、例えば天板４の前端面などに設けられている不図示の操作部と電気的に接続されている。
【００３４】
配線１０は、天板昇降式デスク１Ａの外部の電源（図示略）と昇降機構６の制御部に接続されている。配線１０は、前述の電源から昇降機構６に電気信号を送信するための配線である。昇降機構６には、配線１０に加えて配線１１が接続されている。配線１１は、前述の操作部からの信号を受けて昇降機構６から上部支持体３を昇降させるための配線である。
【００３５】
規制部材１２は、天板４とパネル部材５Ｃとの隙間に収まるようにパネル部材５Ｃにおける天板４側の面５ｃに設けられている。
【００３６】
第一実施形態における規制部材１２は、図４に示すカバー部材５０で構成されている。
カバー部材５０は、左右方向に離間して設けられた一対の取付部５２と、一対の取付部５２の上端部から前側（すなわち、パネル部材５Ｃにおける天板４側の面５ｃから天板４に向って離間する側）に延びる一対の延部５４と、一対の延部５４の前端部から上方に延びる規制部１４と、規制部１４の側端部に設けられた係止部１６と、を備えている。
【００３７】
取付部５２には、貫通孔が形成され、不図示のビスによってビス止めされるなどの方法によってパネル部材５Ｃにおける天板４側の面５ｃに取り付け可能とされている。延部５４の前後方向の長さは、天板４とパネル部材５Ｃとの前後方向の間隔より短く設定されている。
【００３８】
規制部１４は、板状に形成され、上述のように一対の延部５４の前端部から上方に延びる規制面１８で形成されている。規制面１８は、パネル部材５Ｃにおける天板４側の面５ｃに対向している。
【００３９】
係止部１６は、規制面１８の左右方向の端縁部（図４では、パネル部材５Ｃ側から見て左端縁部、天板４側から見て右端縁部）からパネル部材５Ｃに向けて延びる第一係止面５８と、第一係止面５８におけるパネル部材５Ｃ側の端縁部から規制面１８の中央に向けて延びる第二係止面５９と、を備えている。
第二係止面５９の上部には、第二係止面５９の先端側（すなわち、規制面１８の中央に近い側）に開口する切欠６０が形成されている。切欠６０は、パネル部材５０Ｃに近接した状態でカバー部材５０を保持するネジ６４の軸部６４ｊが貫通可能な大きさを有している。
【００４０】
係止部１６の下部には、配線１０を挿通可能な中空部を有するクリップ状に形成された保持部７５が設けられている。具体的には、保持部７５の取付部が第一係止面５８の下部に当接するように取り付けられている。
【００４１】
配線１０は、天板昇降式デスク１Ａの外部の電源からパネル部材５Ｃの貫通孔２８を通り、下部支持体２および上部支持体３の後側の面に沿って上方に延び、カバー部材５０に下側から挿入されている。カバー部材５０とパネル部材５Ｃとの間に挿入された配線１０は、規制面１８とパネル部材５Ｃとの間を通り、規制面１８と第一係止面５８と第二係止面５９に囲まれた空間に挿通され、さらに規制面１８と第一係止面５８と第二係止面５９とネジ６４の軸部６４ｊとネジ部６４ｔによって囲まれた配線挿通空間６２に係止されている。
【００４２】
図５に示すように、天板４が最上位置に位置している状態では、配線挿通空間６２に挿通された配線１０は、配線挿通空間６２およびカバー部材５０の上部から抜けて正面視斜め上方に延び、右側から左側に移動しつつ、天板受け部材４０において前側から見て左側の配線支持部４４Ｂの突出部４７に設けられた係止部７０に挿通され、配線支持部４４Ｂの支持板４６および突出部４７によって囲まれた空間を後側から前側に通り抜け、昇降機構６に接続されている。
【００４３】
図５に示すように、天板４が最下位置に位置している状態では、配線挿通空間６２に挿通された配線１０は、配線挿通空間６２およびカバー部材５０の上部の前側から見て右側から抜けるものの、天板受け部材４０の配線支持部４４Ｂの下降にともなって、下方に折り返すように湾曲しながら撓み変形し、カバー部材５０の上部の前側から見て左側において上方から再び規制面１８とパネル部材５Ｃとの間に挿入される。そして、配線１０は、カバー部材５０の上部の前側から見て左側において左方に抜け、天板４が最上位置に位置している状態と同様に、配線支持部４４Ｂの突出部４７に設けられた係止部７０に挿通され、配線支持部４４Ｂの支持板４６および突出部４７によって囲まれた空間を後側から前側に通り抜け、昇降機構６に接続されている。
【００４４】
配線１１は、天板４の上下方向における位置にかかわらず、昇降機構６から天板受け部材４０において前側から見て右側の配線支持部４４Ａの支持板４６および突出部４７によって囲まれた空間を前側から後側に通り抜け、受け部４２の下面４２ｂに形成された凹所４３を通り、上部支持体３の上端面から上部支持体３に接続されている。
【００４５】
以上説明したように、第一実施形態の天板昇降式デスク１Ａによれば、配線１０が天板４の昇降に応じて撓み変形し、天板４が最下位置に位置する状態で少なくとも一部が天板４とパネル部材５Ｃとの間を通って天板４よりも上方となるように配される。そして、配線１０をパネル部材５における天板４側の面に沿うように配線１０の撓み変形による移動が規制される規制空間内で撓み変形させることができる。具体的には、規制空間は、カバー部材５０の保持部７５の中空部、配線支持部４４Ｂの支持板４６および突出部４７によって囲まれた空間を係止空間として有し、カバー部材５０とパネル部材５０Ｃにおける天板４側の面５ｃとの間の空間によって規定されている。規制面１８と規制面１８に対向するパネル部材５Ｃとの間の空間によって形成されている。このように配線１０の撓み変形によって移動する範囲が天板４より上方の規制空間内に規制されることで、天板４が最下位置に位置する状態で配線１０を天板４よりも上方に延びるようにし、少なくとも天板４が最下位置に位置する状態で天板４よりも上方に延びる配線１０がパネル部材５Ｃに近接した状態を維持することができ、配線１０が利用者側に倒れることを防止することができる。
【００４６】
また、第一実施形態の天板昇降式デスク１Ａでは、規制部材１２は配線１０がパネル部材５Ｃに近接した状態で撓み変形させる規制面１８を有している。
このような構成によれば、パネル部材５Ｃと規制面１８によって形成される空間を含む規制空間内で配線１０を撓み変形させるので、配線１０が利用者側に倒れることを良好に防止することができる。
【００４７】
また、第一実施形態の天板昇降式デスク１Ａでは、規制面１８はパネル部材５Ｃにおける天板４側の面５ｃに対向している。
このような構成によれば、パネル部材５Ｃと規制部材１２の規制面１８との間で配線１２を撓み変形させ、配線１０が利用者側に倒れることを良好に防止することができる。また、規制面１８がパネル部材５Ｃの面５ｃに対向しているので、配線１０において撓み変形する大部分を利用者側から遮蔽することができる。そのため、利用者や他の什器に対する配線１０の干渉を防止することもできる。
【００４８】
また、第一実施形態の天板昇降式デスク１Ａでは、規制面１８は板状に形成されていてもよい。
このような昇降天板付什器では、規制面１８の面積を調整することによって、規制空間の大きさを調整し、配線１０が利用者側に倒れることを容易かつ良好に防止することができる。また、規制面１８の大きさと設置位置を調整することで、利用者に対して露出する配線１０の範囲を容易に調整することができる。
【００４９】
また、第一実施形態の天板昇降式デスク１Ａでは、規制部材１２において前記下部支持体の上端部よりも上方に位置する部分に前記配線を係止する係止部が設けられていてもよい。
このような昇降天板付什器では、天板の昇降に応じて配線が撓み変形する際に、配線を配線挿通空間内の所定の位置において係止部によって係止した状態で撓み変形させることができる。したがって、天板が最下位置に位置する状態で配線を天板よりも上方に延びるようにし、かつ配線が利用者側に倒れることを防止することができる。
【００５０】
（第二実施形態）
次に、本発明の第二実施形態について、図９から図１１を参照して説明する。第二実施形態の天板昇降式デスク１Ｂは、カバー部材５０に替えて規制部材８０を備える点で、第一実施形態の天板昇降式デスク１Ａと異なっている。なお、第二実施形態の天板昇降式デスク１Ｂの構成について、上述した第一実施形態に係る天板昇降式デスク１Ａと同様の構成を有する部分については同一の符号を付し、その詳細な説明を省略する。
【００５１】
図９および図１０に示すように、規制部材８０は、天板昇降式デスク１Ａにおける保持部７５とほぼ同じ位置でパネル部材５Ｃにおける天板４側の面５ｃに設置されている。
図１１に示すように、規制部材８０は、不図示のビスまたは接着剤などによりパネル部材５Ｃにおける天板４側の面５ｃの所望の位置に取付可能な取付部８２と、取付部８２の左右方向の端部から前方（すなわち、天板４側）に突出した後に取付部８２に対向するように屈曲する屈曲部８４と、を備えている。屈曲部８４において、取付部８２に対向する対向部８６は、規制面１８として機能する。このように、規制面１８は規制部材８０における板状の部位の一部に形成されている。
【００５２】
図９に示すように、配線１０は、天板昇降式デスク１Ｂの外部の電源からパネル部材５Ｃの貫通孔２８を通り、下部支持体２および上部支持体３の後側の面に沿って上方に延び、規制部材８０に下側から上側へ挿通されている。規制部材８０に挿通された配線１０は、規制部材８０における取付部８２と屈曲部８４によって囲まれた配線挿通空間６２を通り抜けている。
【００５３】
天板４が最上位置に位置している状態では、配線挿通空間６２に挿通された配線１０は、配線挿通空間６２を抜けて正面視斜め上方に延び、左側から右側に移動しつつ、天板受け部材４０において前側から見て左側の配線支持部４４Ｂの突出部４７に設けられた係止部７０に挿通されている。その後、配線支持部４４Ｂの支持板４６および突出部４７によって囲まれた空間を後側から前側に通り抜け、昇降機構６に接続されている。
【００５４】
図１０に示すように、天板４が最下位置に位置している状態では、配線挿通空間６２に挿通された配線１０は、天板受け部材４０の配線支持部４４Ｂの下降にともなって、下方に折り返すように湾曲しながら撓み変形し、配線支持部４４Ｂの突出部４７に設けられた係止部７０に挿通され、配線支持部４４Ｂの支持板４６および突出部４７によって囲まれた空間を後側から前側に通り抜け、昇降機構６に接続されている。
【００５５】
以上説明したように、第二実施形態の天板昇降式デスク１Ｂによれば、配線１０が天板４の昇降に応じて撓み変形し、天板４が最下位置に位置する状態で少なくとも一部が天板４とパネル部材５Ｃとの間を通って天板４よりも上方となるように配される。そして、配線１０をパネル部材５における天板４側の面に沿うように配線１０の撓み変形による移動が規制される規制空間内で撓み変形させることができる。具体的には、規制空間は、規制部材８０における取付部８２と屈曲部８４によって囲まれた配線挿通空間６２を係止空間として有し、配線１０の撓み変形の程度などによって決まる空間によって規定されている。このように配線１０の撓み変形によって移動する範囲が天板４より上方の規制空間内に規制されることで、天板４が最下位置に位置する状態で配線１０を天板４よりも上方に延びるようにし、少なくとも天板４が最下位置に位置する状態で天板４よりも上方に延びる配線１０がパネル部材５Ｃに近接した状態を維持することができ、配線１０が利用者側に倒れることを防止することができる。
【００５６】
以上、本発明の好ましい形態について詳述したが、本発明は上述の実施形態に限定されるものではなく、特許請求の範囲内に記載された本発明の要旨の範囲内において、種々の変形・変更が可能である。
【００５７】
例えば、本発明の昇降天板付什器は記載台などの天板昇降式デスクに限定されるものではなく、デスク以外の他の昇降天板付什器に適用することも可能である。
【００５８】
また、第一実施形態の天板昇降式デスク１Ａにおける規制部材１２または第二実施形態の天板昇降式デスク１Ｂにおける規制部材８０は、配線１０の位置および移動に合わせ、天板４とパネル部材５Ａまたはパネル部材５Ｂとの隙間に収まるようにパネル部材５Ａまたはパネル部材５Ｂにおける天板４側の面に設けられていてもよい。
【００５９】
また、第一実施形態の天板昇降式デスク１Ａまたは第二実施形態の天板昇降式デスク１Ｂにおいて、係止部は規制部材１２パネル部材５Ｃの左右方向に離間して設けられていてもよい。このような構成によれば、天板４の昇降に応じて配線１０が撓み変形する際に、配線１０を規制空間内の左右方向に離間した位置において係止部によって係止することで、配線１０が撓み変形する範囲を左右方向に範囲を規制し、安定した状態で円滑に撓み変形させることができる。したがって、配線が利用者側に倒れることを良好に防止することができる。
ただし、例えば第一実施形態の天板昇降式デスク１Ａにおいては、係止部１６，７５が前側から見て右側に設けられているが、配線支持部４４Ｂの突出部４７に設けられた係止部７０が前側から見て左側に設けられているので、配線１０を安定した状態で円滑に撓み変形させることができる。
【００６０】
また、図示していないが、第二実施形態の天板昇降式デスク１Ｂの規制部材８０において、例えば取付部８２の左右方向の両側の端部に、一方の端部から前方（すなわち、天板４側）に突出した後に取付部８２に対向するとともに他方の端部に近づくように屈曲する一対の屈曲部が設けられ、屈曲部の互いの先端が離間していてもよい。このような構成によっても、第二実施形態の天板昇降式デスク１Ｂの作用効果と同様の作用効果が得られる。
【符号の説明】
【００６１】
１…昇降天板付什器、２…下部支持体、３…上部支持体、４…天板、４ｂ…下面、５，５Ａ，５Ｂ，５Ｃ…パネル部材、５ｃ…面（パネル部材における天板側の面）、６…昇降装置、１０…配線、１２…規制部材、１４…規制面、１６…係止部
【図１】
2018075100.tif 000003
【図２】
2018075100.tif 000004
【図３】
2018075100.tif 000005
【図４】
2018075100.tif 000006
【図５】
2018075100.tif 000007
【図６】
2018075100.tif 000008
【図７】
2018075100.tif 000009
【図８】
2018075100.tif 000010
【図９】
2018075100.tif 000011
【図１０】
2018075100.tif 000012
【図１１】
2018075100.tif 000013